(57)【要約】【課題】球検出器を複数のパチンコ機に継続的にリユース（再利用）する場合には、球検出器は保証作動回数を超えて使われる可能性がある。このような場合、リユースにおける球検出器の品質を確保できず、ひいてはこのような球検出器を搭載した遊技機は品質が確保されないといった課題があった。【解決手段】遊技盤に設けられた入賞装置に、信号線及び信号線接続コネクタのうちの少なくとも一方を入賞装置の違いによって互いに異なる色にした複数の球検出器が取付けられている遊技盤とした。【選択図】　　　　図３
2004016698.tif 000002
【特許請求の範囲】
【請求項１】
遊技盤に設けられた入賞装置に、信号線及び信号線接続コネクタのうちの少なくとも一方を入賞装置の違いによって互いに異なる色にした複数の球検出器が取付けられていることを特徴とする遊技盤。
【請求項２】
遊技盤に設けられた入賞装置に、入賞装置の違いによって互いに異なる識別情報を備えた複数の球検出器が取付けられていることを特徴とする遊技盤。
【請求項３】
遊技盤に設けられた入賞装置に取付けられる球検出器であって、遊技盤に設けられた入賞装置のうちどの入賞装置に用いられていたかを識別するための識別情報を備えたことを特徴とする球検出器。
【発明の詳細な説明】
【０００１】
【発明の属する技術分野】
本発明はパチンコ機等の遊技盤及びこの遊技盤の入賞装置に取付けられる球検出器に関する。
【０００２】
【従来の技術】
パチンコ機等の遊技盤には、様々な入賞装置が設けられており、これら入賞装置には、パチンコ球等の球を検出する球検出器が取付けられている。入賞装置としては、例えば一般入賞装置、図柄始動入賞装置、変動入賞装置等がある。
【０００３】
【発明が解決しようとする課題】
遊技盤の入賞装置に取付けられる球検出器は、パチンコ機の検定期限（３年）中にパチンコ機をフルに使用したとしても、その作動回数が保証作動回数を超えることがないように保証作動回数が設定されている。しかし、球検出器が複数のパチンコ機に継続的にリユース（再利用）された場合には、球検出器は保証作動回数を超えて使われる可能性がある。このような場合、リユースにおける球検出器の品質を確保できず、ひいてはこのような球検出器を搭載した遊技機は品質が確保されないといった課題があった。
【０００４】
【課題を解決するための手段】
本発明の遊技盤は、遊技盤に設けられた入賞装置に、信号線及び信号線接続コネクタのうちの少なくとも一方を入賞装置の違いによって互いに異なる色にした複数の球検出器が取付けられているものとした。一般に、球検出器は図柄始動入賞装置や変動入賞装置に使用された場合に作動回数が多いので、例えば、図柄始動入賞装置や変動入賞装置に使用される球検出器の信号線や信号線接続コネクタとして、その他の入賞装置に使用される球検出器の信号線や信号線接続コネクタの色と異なる色のものを使用する。このように入賞装置の違いによって、信号線や信号線接続コネクタが異なる色の球検出器が取付けられている遊技盤から、リユースのために球検出器を取外した場合には、リユースの際に、信号線や信号線接続コネクタの色を確認することによって、以前にどの入賞装置に使用されていたかを識別できるようになるため、例えば、図柄始動入賞装置や変動入賞装置に使用されていた球検出器は、新しい遊技盤においては、作動回数の少ない一般入賞装置に用い、逆に、作動回数の少ない一般入賞装置に使用されていた球検出器は、新しい遊技盤においては、作動回数の多い図柄始動入賞装置や変動入賞装置に用いる等のリユースを行うことにより、リユースにおける球検出器の品質を確保でき、ひいては遊技機の品質を確保できるようになる。
また、遊技盤に設けられた入賞装置に、入賞装置の違いによって互いに異なる識別情報を備えた複数の球検出器が取付けられている遊技盤とした。また、遊技盤に設けられた入賞装置に取付けられる球検出器であって、遊技盤に設けられた入賞装置のうちどの入賞装置に用いられていたかを識別するための識別情報を備えたものとした。以上の遊技盤、球検出器によっても同様な効果が得られる。
【０００５】
【発明の実施の形態】
実施形態１
以下、本発明の実施形態１を図１〜図３に基づいて説明する。実施形態１による遊技盤１０の遊技盤面１０ａには、図１に示すように様々な入賞装置が設けられており、これら入賞装置には、パチンコ球等の球を検出する球検出器２０が取付けられている。入賞装置としては、例えば、一般入賞装置１１、図柄始動入賞装置１２、変動入賞装置１３等があり、これら入賞装置には、球取込み型の他に、球通過型のもの等がある。尚、変動入賞装置１３には、変動入賞装置１３の大当たり遊技継続の契機とするように変動入賞装置１３に設けられたＶゾーンと呼ばれる特定入賞口に入賞した球を検出する特定入賞球検出器２０ａと、変動入賞装置１３の開閉終了の契機とするように変動入賞装置１３に設けられた一般入賞口に入賞した球を検出する一般入賞球検出器２０ｂとが設けられる。
球検出器２０は、図２に示すような例えば球通過型の入賞装置１１に形成されている球通過口１４に取付けられる。図２の場合、入賞装置１１のベース１５に形成された挿入孔１６を介して球検出器２０を挿入して球通過口１４に装着する。入賞装置１１のベース１５の挿入孔１６の側縁近辺の裏面１５ａよりほぼ垂直に突出するようにアーム片５０が設けられており、このアーム片５０の先端側に設けられた係止部材６０が、球検出器２０の後端面４４、あるいは、球検出器２０の左側面２１に設けられた複数の溝４０，４１，４２，４３のいずれかに係止することにより、球検出器２０は、係止部材６０と入賞装置本体部１７の内部前壁１７ａとの間に挟持された状態に保持されて、所定の位置に正確に装着されることになる。球検出器２０は、薄い直方体状のもので、球を検出する球検出孔（球検出部）２５を備える。球検出器２０の筐体２６内には、上記球検出孔２５の周りを取り囲むようにコイルが設けられ、また、このコイルで検出される球検出信号を処理する基板が設けられ、この処理された信号が信号線１を介してパチンコ機の制御装置等に送られる。この信号線１は信号線接続コネクタ２を介して球検出器２０に接続されている。尚、図２中のＬは制御装置等により点灯制御されるランプである。
【０００６】
実施形態１による遊技盤１０は、入賞装置１１〜１３等に、入賞装置の違いによって互いに異なる色の信号線１及び信号線接続コネクタ２を備えた複数の球検出器２０が取付けられているものである。
例えば図３に示すように、図柄始動入賞装置１２には、赤色の信号線１及び赤色の信号線接続コネクタ２を備えた球検出器２０が取付けられ、変動入賞装置１３の特定入賞口には、黒色の信号線１及び黒色の信号線接続コネクタ２を備えた特定入賞球検出器２０ａ（球検出器２０）が取付けられ、変動入賞装置１３の一般入賞口には、黄色の信号線１及び黄色の信号線接続コネクタ２を備えた一般入賞球検出器２０ａ（球検出器２０）が取付けられ、その他の一般入賞装置１１には、青色の信号線１及び青色の信号線接続コネクタ２を備えた球検出器２０が取付けられている遊技盤１０とする。
【０００７】
例えばパチンコ機の検定期限近くになって機種交換をする場合に、古いパチンコ機の遊技盤１０に取付けられていた各球検出器２０を、古い遊技盤１０から取外して、新しい遊技盤にリユースする。この場合、信号線１を切断して球検出器２０を取外すが、球検出器２０側に一定長さ以上の信号線１が残るように切断する。そして、取外した球検出器２０を新しい遊技盤にリユースする際には、球検出器２０には信号線１及び信号線接続コネクタ２が残っているので、この信号線１及び信号線接続コネクタ２の色を確認することで以前にどの入賞装置に用いられていた球検出器２０であるかを識別した後にリユース作業を行う。一般に、球検出器２０は図柄始動入賞装置１２や変動入賞装置１３に使用された場合に作動回数が多くなるので、例えば、以前に図柄始動入賞装置１２に使われていた球検出器２０は新しい遊技盤の一般入賞装置１１に取付け、以前に一般入賞装置１１に使われていた球検出器２０は新しい遊技盤の図柄始動入賞装置１２に取付けるようにする。これにより、新しい遊技盤において作動回数が多い図柄始動入賞装置１２には、古い遊技盤１０において一般入賞装置１１に使用されていたまだ作動回数が少なくて保証作動回数までの余裕が多い球検出器２０が取付けられるので、リユースにおける球検出器２０の品質を確保でき、ひいてはこのような球検出器を搭載した遊技機の品質を確保できるようになる。
【０００８】
尚、上記の説明では、入賞装置の違いによって、球検出器２０の信号線１及び信号線接続コネクタ２の両方の色を互いに異ならせるようにしたが、遊技盤に設けられた入賞装置に、信号線１及び信号線接続コネクタ２のうちの一方のみを入賞装置の違いによって互いに異なる色にした複数の球検出器が取付けられているものとしてもよい。
【０００９】
また、入賞装置の違いによって球検出器の信号線１の色を違わせておくとともに、新品の球検出器かリユース済みの球検出器かを認識するために新品かリユース済みかによって信号線接続コネクタ２の色を違わせておくようにしてもよい（あるいは、入賞装置の違いによって球検出器の信号線接続コネクタ２の色を違わせておくとともに、新品の球検出器かリユース済みの球検出器かを認識するために新品かリユース済みかによって信号線１の色を違わせておくようにしてもよい）。そして、例えば信号線接続コネクタ２（あるいは信号線１）を、新品の場合は白、１度リユースしたものは緑、２度リユースしたものは茶、…というように色を違わせておく（即ちリユース回数情報を設けておく）。このようにすれば次のような効果が得られる。
まず、新品の球検出器とリユース済みの球検出器とを混在して搭載する遊技機から新しい遊技機に球検出器をリユースする際には、まだリユースしていない球検出器を信号線接続コネクタ２（あるいは信号線１）の色から容易に確認できて、球検出器を取外した後に、どの入賞装置に使用されていたかを示す情報に基づいてリユースに供することができて、リユースにおける球検出器の品質を確保でき、ひいてはこのような球検出器を搭載した遊技機の品質を確保できるようになる。
また、すでに１度以上リユース済みの球検出器であっても機種交換の時期が早かったような場合にはさらにリユースに供することが可能な場合もある。この場合、上記のようなリユース回数情報を設けておけば、すでに１度以上リユース済みの球検出器のさらなるリユースの可否を判断できるようになる。即ち、すでにリユース済みであった球検出器であっても、例えば、その球検出器のリユース時期間隔履歴及びどの入賞装置に使用されていたかの履歴情報を別途管理しておくようにすれば、すでに１度以上リユースに供した球検出器であってもさらにリユースに供することが可能な球検出器を抽出することが可能となり、これによりリユースにおける球検出器の品質を確保でき、ひいてはこのような球検出器を搭載した遊技機の品質を確保できるようになる。尚、上記リユース回数情報は、１度リユース情報と２度リユース情報だけにして、例えば、２度リユース情報は、その球検出器をもはやリユースに供さないための情報として用いてもよい（即ち、廃棄するための情報として用いる）。
【００１０】
実施形態２
球検出器２０としては、図４に示すように、球検出器が取付けられる入賞装置に違いによって、互いに異なる識別情報を記録したバーコードやＩＣチップ等の識別手段７０を表面に設けたものを用いてもよい。上記ＩＣチップとしては、例えば特開２００１−３４４４６４号に開示された超小型のＲＦＩＤチップを用いることができる。このＲＦＩＤチップは例えば半導体基板上に集積回路とこの集積回路のアンテナとが形成されて成るもので、寸法は例えば２ｍｍ（縦）×２ｍｍ（横）×０．１ｍｍ（厚さ）以下のものである。そして、識別情報を読み取る質問機から上記アンテナを介して動作電力を得て、集積回路に記録されている識別情報を質問機に出力するものである。
本実施形態２では、実施形態１と同様な効果が得られる。また、識別情報をデータ管理すれば、例えば頻繁に機種交換が行われる場合、１つの球検出器２０を２回以上リユースすることも可能で、かつ、この場合でもリユースにおける球検出器２０の品質も確保することが可能となる。
【図面の簡単な説明】
【図１】本発明の実施形態１による遊技盤を示す。
【図２】遊技盤に設けられる入賞装置に対する球検出器の取付方法を説明するための斜視図。
【図３】入賞装置に取付けられる球検出器の信号線及び信号線接続コネクタの色の違いを説明するためのグラフ。
【図４】実施形態２における遊技盤の入賞装置に取付けられる球検出器を示す図。
【符号の説明】
１　球検出器の信号線
２　球検出器の信号線接続コネクタ
１０　遊技盤
１１，１２，１３　入賞装置
２０　球検出器
【図１】
2004016698.tif 000003
【図２】
2004016698.tif 000004
【図３】
2004016698.tif 000005
【図４】
2004016698.tif 000006